【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
液体供給体の再生品の製造方法であって、
液体を収容可能な液体収容体と、前記液体収容体を格納し封止部材により開口部を封止された格納部と、を備える前記液体供給体を準備する準備工程と、
前記封止部材の少なくとも一部を前記格納部から分離する分離工程と、
前記格納容器に格納された前記液体収容体を前記開口部から前記格納部の外部に取り出す取出工程と、
液体が充填された液体収容体を前記開口部から前記格納部に格納する格納工程と、
液体が充填された前記液体収容体を格納した前記格納部の前記開口部を封止部材により封止する封止工程と、を備える液体供給体の再生品の製造方法。
【請求項２】
請求項１に記載の液体供給体の再生品の製造方法はさらに、
前記封止部材と接する前記格納部の接触面を加工する加工工程を備え、
前記封止工程は、加工された前記接触面に前記封止部材を接着させて実行される液体供給体の再生品の製造方法。
【請求項３】
請求項１または請求項２に記載の液体供給体の再生品の製造方法はさらに、
前記液体収容体に液体を充填する充填工程を備え、
前記格納工程は、前記充填により充填された前記液体収容体を前記格納部に格納することにより実行される液体供給体の再生品の製造方法。
【請求項４】
請求項２または請求項３に記載の液体供給体の再生品の製造方法において、
前記加工工程は、前記格納部の前記接触面を切削により平滑化することで実行される液体供給体の再生品の製造方法。
【請求項５】
請求項１ないし請求項４のいずれか１の請求項に記載の液体供給体の再生品の製造方法において、
前記封止工程は、前記封止部材を前記格納部に熱溶着させることで実行される液体供給体の再生品の製造方法。
【請求項６】
請求項１ないし請求項４のいずれか１の請求項に記載の液体供給体の再生品の製造方法において、
前記封止工程は、前記封止部材を前記格納部に超音波溶着させることで実行される液体供給体の再生品の製造方法。
【請求項７】
請求項１ないし請求項４のいずれか１の請求項に記載の液体供給体の再生品の製造方法において、
前記封止工程は、前記封止部材を前記格納部に振動溶着させることで実行される液体供給体の再生品の製造方法。
【請求項８】
請求項１ないし請求項４のいずれか１の請求項に記載の液体供給体の再生品の製造方法において、
前記封止工程は、接着剤により前記封止部材を前記格納容器に接着させることで実行される液体供給体の再生品の製造方法。
【請求項９】
請求項１ないし請求項８のいずれか１の請求項に記載の液体供給体の再生品の製造方法において、
前記格納工程は、逆止弁を備えない前記液体収容体を前記格納部に格納することで実行される液体供給体の再生品の製造方法。
【請求項１０】
請求項１ないし請求項９のいずれか１の請求項に記載の液体供給体の再生品の製造方法において、
前記液体供給体は、前記液体収容体に収容された液体の量を検出可能な液体量検出装置を備える液体供給体の再生品の製造方法。
【手続補正２】
【補正対象書類名】明細書
【補正対象項目名】発明の名称
【補正方法】変更
【補正の内容】
【発明の名称】液体供給体の再生品の製造方法
【手続補正３】
【補正対象書類名】明細書
【補正対象項目名】０００７
【補正方法】変更
【補正の内容】
【０００７】
本発明の第１の態様は、液体供給体の再生品の製造方法を提供する。本発明の第１の態様に係る液体供給体の再生品の製造方法は、液体を収容可能な液体収容体と、前記液体収容体を格納し封止部材により開口部を封止された格納部と、を備える前記液体供給体を準備する準備工程と、前記封止部材の少なくとも一部を前記格納部から分離する分離工程と、前記格納部に格納された前記液体収容体を前記開口部から前記格納部の外部に取り出す取出工程と、液体が充填された液体収容体を前記開口部から前記格納部に格納する格納工程と、液体が充填された前記液体収容体を格納した前記格納部の前記開口部を封止部材により封止する封止工程と、を備える。
【手続補正４】
【補正対象書類名】明細書
【補正対象項目名】０００８
【補正方法】変更
【補正の内容】
【０００８】
本発明の第１の態様に係る液体供給体の再生品の製造方法によれば、利用された液体供給体に液体を充填する場合であっても、液体収容体を開口部から取り出し、液体が充填された液体収容体を開口部から液体供給体に格納するため、容易に液体供給体に液体を充填することができる。
【手続補正５】
【補正対象書類名】明細書
【補正対象項目名】０００９
【補正方法】変更
【補正の内容】
【０００９】
本発明の第１の態様に係る液体供給体の再生品の製造方法はさらに、前記封止部材と接する前記格納部の接触面を加工する加工工程を備え、前記封止工程は、加工された前記接触面に前記封止部材を接着させて実行されてもよい。この場合、封止工程における封止部材と格納部の接触面との接着を容易とすることができる。
【手続補正６】
【補正対象書類名】明細書
【補正対象項目名】００１０
【補正方法】変更
【補正の内容】
【００１０】
本発明の第１の態様に係る液体供給体の再生品の製造方法はさらに、前記液体収容体に液体を充填する充填工程を備え、前記格納工程は、前記充填により充填された前記液体収容体を前記格納部に格納することにより実行されてもよい。この場合、液体収容体に液体を充填した後に格納部に格納するため、容易に液体供給体に液体を充填することができる。
【手続補正７】
【補正対象書類名】明細書
【補正対象項目名】００１１
【補正方法】変更
【補正の内容】
【００１１】
本発明の第１の態様に係る液体供給体の再生品の製造方法において、前記加工工程は、前記格納部の前記接触面を切削により平滑化することで実行されてもよい。この場合、格納容器の封止部材と接する部分を平滑化することで、封止部材の接着を容易とすることができる。
【手続補正８】
【補正対象書類名】明細書
【補正対象項目名】００１２
【補正方法】変更
【補正の内容】
【００１２】
本発明の第１の態様に係る液体供給体の再生品の製造方法において、前記封止工程は、前記封止部材を前記格納部に熱溶着させることで実行されてもよい。この場合、熱溶着により封止部材を格納部に接着させることで開口部を封止することができる。
【手続補正９】
【補正対象書類名】明細書
【補正対象項目名】００１３
【補正方法】変更
【補正の内容】
【００１３】
本発明の第１の態様に係る液体供給体の再生品の製造方法において、前記封止工程は、前記封止部材を前記格納部に超音波溶着させることで実行されてもよい。この場合、超音波溶着により封止部材を格納部に接着させることで開口部を封止することができる。
【手続補正１０】
【補正対象書類名】明細書
【補正対象項目名】００１４
【補正方法】変更
【補正の内容】
【００１４】
本発明の第１の態様に係る液体供給体の再生品の製造方法において、前記封止工程は、前記封止部材を前記格納部に振動溶着させることで実行されてもよい。この場合、振動溶着により封止部材を格納部に接着させることで開口部を封止することができる。
【手続補正１１】
【補正対象書類名】明細書
【補正対象項目名】００１５
【補正方法】変更
【補正の内容】
【００１５】
本発明の第１の態様に係る液体供給体の再生品の製造方法において、前記封止工程は、接着剤により前記封止部材を前記格納部に接着させることで実行されてもよい。この場合、接着剤により封止部材を格納部に接着させることで開口部を封止することができる。
【手続補正１２】
【補正対象書類名】明細書
【補正対象項目名】００１６
【補正方法】変更
【補正の内容】
【００１６】
本発明の第１の態様に係る液体供給体の再生品の製造方法において、前記格納工程は、逆止弁を備えない液体収容体を前記格納部に格納することで実行されてもよい。この場合、液体収容体への液体の充填時に逆止弁により液体の流入を遮られないため、容易に液体を充填することができる。
【手続補正１３】
【補正対象書類名】明細書
【補正対象項目名】００１７
【補正方法】変更
【補正の内容】
【００１７】
本発明の第１の態様に係る液体供給体の再生品の製造方法において、前記液体供給体は、前記液体収容体に収容された液体の量を検出可能な液体量検出装置を備えていてもよい。この場合、再生時に液体量検出装置内の流路を使用しないため、液体量検出装置が装着された液体供給体についても容易に再生することができる。
【手続補正１４】
【補正対象書類名】明細書
【補正対象項目名】００１８
【補正方法】変更
【補正の内容】
【００１８】
なお、本発明は、種々の形態で実現することが可能であり、例えば、上記製造方法により製造された液体供給体、上記製造方法を実現するための装置、及びその装置を制御するためのプログラム等の形態で実現することができる。